(57)【要約】【課題】  単純な変位を以って確実にガス流路の開放遮断が行なわれ、且つガス流路の開閉状況の把握が確実に行なえるガスメータの遮断弁の開弁復帰構造の提供。【解決手段】  閉弁動作時及び復帰操作時において前記遮断弁の弁本体６と相互に押圧力を授受し当該弁本体６の動作方向に進退する復帰軸２と、当該復帰軸２をその進退に応じて遮断表示マーク１０付きの操作部が出没する様に支持する筒状の復帰軸ボックス１と、当該復帰軸２を前記復帰操作に抗する向きへ付勢する復帰軸付勢手段とを具備してなり、復帰軸の凹部１６に前記ボールプランジャ９が嵌まった際に当該遮断表示マーク１０が前記復帰軸ボックス１に隠れ、前記遮断弁の閉弁動作による復帰軸２への押圧を受けて当該復帰軸２の凹部１６から前記ボールプランジャ９が離脱した際に当該遮断表示マーク１０が前記復帰軸ボックス１の外に露出するガスメータの遮断弁の開弁復帰構造。【選択図】      図５（Ａ）（Ｂ）（Ｃ）
2010002206.tif 000002
【特許請求の範囲】
【請求項１】
異常発生時にガスメータのガスの流路を弁本体で密閉遮断する閉弁動作を行なう遮断弁の開弁復帰構造であって、
閉弁動作時及び復帰操作時において前記遮断弁の弁本体と相互に押圧力を授受し当該弁本体の動作方向に進退する復帰軸と、
当該復帰軸をその進退に応じて遮断表示マーク付きの操作部が出没する様に支持する筒状の復帰軸ボックスと、
当該復帰軸を前記復帰操作に抗する向きへ付勢する復帰軸付勢手段と、
を具備してなり、
前記復帰軸ボックスに前記復帰軸の側面に向けて付勢したボールプランジャを備え、
前記復帰軸の側面に、前記ボールプランジャが嵌まる凹部を備え、
当該凹部の位置は、当該復帰軸が前記復帰軸付勢手段で前記復帰操作に抗する向きへの付勢状態で前記ボールプランジャが嵌まる位置であり、
前記操作部の遮断表示マークの位置が、当該復帰軸の凹部に前記ボールプランジャが嵌まった際に当該遮断表示マークが前記復帰軸ボックスに隠れ、前記遮断弁の閉弁動作による復帰軸への押圧を受けて当該復帰軸の凹部から前記ボールプランジャが離脱した際に当該遮断表示マークが前記復帰軸ボックスの外に露出する位置であるガスメータの遮断弁の開弁復帰構造。
【請求項２】
前記復帰軸の遮断弁側の端部に、当該復帰軸の長手方向へ弾性的に進退可能な緩衝部材を備えた前記請求項１に記載のガスメータの遮断弁の開弁復帰構造。
【請求項３】
異常発生時にガスメータのガスの流路を弁本体で密閉遮断する閉弁動作を行なう遮断弁の開弁復帰構造であって、
閉弁動作時及び復帰操作時において前記遮断弁の弁本体と相互に押圧力を授受し当該弁本体の動作方向に進退する復帰軸と、
当該復帰軸をその進退に応じて遮断表示マーク付きの操作部が出没する様に支持する筒状の復帰軸ボックスと、
当該復帰軸を前記復帰操作に抗する向きへ付勢する復帰軸付勢手段と、
を具備してなり、
前記復帰軸の遮断弁側の端部に、当該復帰軸の長手方向へ弾性的に進退可能な緩衝部材を備え
前記復帰軸に、当該復帰軸の進退に一定長の摺動を伴って追動する封止部材を備え、
前記封止部材は、
弁本体が封じるガス流路と気密を保持して連続し遮断開口部に対して前記弁本体の進退長以上の出没を行なう筒状の気密隔壁、
当該気密隔壁の先端開口部であって前記弁本体に密着する気密縁、
前記緩衝部材を前記機密隔壁の先端開口部から出没する様に支持する緩衝ボックス、
及び、復帰軸の側面に向けて付勢したボールプランジャを備え、
前記復帰軸の側面に、前記ボールプランジャが嵌まる凹部を備え、
当該凹部の位置は、当該復帰軸が前記復帰軸付勢手段で前記復帰操作に抗する向きへの付勢状態で前記ボールプランジャが嵌まる位置であり、
前記操作部の遮断表示マークの位置が、当該復帰軸の凹部に前記ボールプランジャが嵌まった際に当該遮断表示マークが前記復帰軸ボックスに隠れ、前記遮断弁の閉弁動作による復帰軸への押圧を受けて当該復帰軸の凹部から前記ボールプランジャが離脱した際に当該遮断表示マークが前記復帰軸ボックスの外に露出する位置であり、
当該封止部材の復帰軸に対する摺動長を前記弁本体の進退長未満に制限する規制手段を備えるガスメータの遮断弁の開弁復帰構造。
【発明の詳細な説明】
【技術分野】
【０００１】
本発明は、ガスメータに関するものであって、特に、異常発生時に遮断弁によってガスメータを流通するガスの流路が遮断された状態から、再びガスの流通を開通させるために設けられる遮断弁の開弁復帰構造に関する。
【背景技術】
【０００２】
従来、異常発生時に遮断弁が作動した場合、どのような異常が発生して遮断したかをＬＥＤの点滅パターンで表示させたり、液晶で表示させたりする方式であったが、単方向ソレノイド型遮断弁を使用したガスメータでは、ガスメータに衝撃が加わった場合（例えばボールがぶつかる等）等、コントローラが検知を予定していない物理的衝撃を以って遮断してしまう事がある。
【０００３】
この場合、遮断弁を制御するコントローラから遮断信号が出力されていないにもかかわらず力学的構造のみを要因としてガス供給が停止するため、ＬＥＤあるいは液晶に何ら表示が出ない状態となり、ガス消費者あるいはガス消費者から連絡を受けたガス事業者にとっては、ガス供給が停止した原因の把握が困難となる。
【０００４】
そこで遮断弁の状態（開あるいは閉）を外部から目視確認できる構造にすることで（例えば、下記特許文献１、特許文献２、又は特許文献３参照。）、ガスメータで遮断しているのか、あるいはその他の原因でガス供給が停止しているのかの判断ができ、状況の把握が的確になる手法が紹介された。
【０００５】
しかしながら、ユーザーの安全を直接担う観点より、直線移動と回転移動との併存を回避し、構造と開弁・閉弁時における動作の簡素化を以って、より高品質で信頼性の高い構造を求めるべきとの要請があった。
また、上記従来の手段にあっては、軸線変位を回転変位に変換することで状態を指示し（例えば、下記特許文献１）、表示体を見せ隠しする構造（例えば、下記特許文献２）や、ガスメータ内部の表示体を、透明部材を介して確認すると言う構造（例えば、下記特許文献３参照。）が採用されたが、回転変位等により弁本体と封止部材の弁座との気密に不具合が生じる虞が有ることから、復帰軸の進退に伴って摺動する封止部材を備えた構造に対応させることは極めて困難であった。
【０００６】
【特許文献１】実公平２−４５５８１号公報
【特許文献２】実公平６−３２４８号公報
【特許文献３】実公平６−７２４２号公報
【発明の開示】
【発明が解決しようとする課題】
【０００７】
本発明は、上記実情に鑑みてなされたものであって、単純な変位を以って確実にガス流路の開放遮断が行なわれ、且つガス流路の開閉状況の把握が確実に行なえるガスメータの遮断弁の開弁復帰構造の提供を目的とする。
【課題を解決するための手段】
【０００８】
上記課題を解決する為になされた本発明によるガスメータの遮断弁の開弁復帰構造は、異常発生時にガスメータのガスの流路を弁本体で密閉遮断する閉弁動作を行なう遮断弁の開弁復帰構造であって、閉弁動作時及び復帰操作時において前記遮断弁の弁本体と相互に押圧力を授受し当該弁本体の動作方向に進退する復帰軸と、当該復帰軸をその進退に応じて遮断表示マーク付きの操作部が出没する様に支持する筒状の復帰軸ボックスと、当該復帰軸を前記復帰操作に抗する向きへ付勢する復帰軸付勢手段とを具備してなる。
【０００９】
第一の構造は、前記復帰軸ボックスに前記復帰軸の側面に向けて付勢したボールプランジャを備え、前記復帰軸の側面に、前記ボールプランジャが嵌まる凹部を備える構造であって、前記復帰軸の遮断弁側の端部に、当該復帰軸の長手方向へ弾性的に進退可能な緩衝部材を備えた構造としても良い。
【００１０】
第二の構造は、前記復帰軸の遮断弁側の端部に、当該復帰軸の長手方向へ弾性的に進退可能な緩衝部材を備え、前記復帰軸に、当該復帰軸の進退に一定長の摺動を伴って追動する封止部材を備え、前記封止部材は、弁本体が封じるガス流路と気密を保持して連続し遮断開口部に対して前記弁本体の進退長以上の出没を行なう筒状の気密隔壁、当該気密隔壁の先端開口部であって前記弁本体に密着する気密縁、前記緩衝部材を前記機密隔壁の先端開口部から出没する様に支持する緩衝ボックス、及び、復帰軸の側面に向けて付勢したボールプランジャを備え、前記復帰軸の側面に、前記ボールプランジャが嵌まる凹部を備え、前記封止部材の復帰軸に対する摺動長を前記弁本体の進退長未満に制限する（進退長以上では開弁状態に復帰しない場合が生じ得る）規制手段を備える構造である。
【００１１】
前記第一の構造と第二の構造は共に、当該凹部の位置は、当該復帰軸が前記復帰軸付勢手段で前記復帰操作に抗する向きへの付勢状態で前記ボールプランジャが嵌まる位置であり、前記操作部の遮断表示マークの位置が、当該復帰軸の凹部に前記ボールプランジャが嵌まった際に当該遮断表示マークが前記復帰軸ボックスに隠れ、前記遮断弁の閉弁動作による復帰軸への押圧を受けて当該復帰軸の凹部から前記ボールプランジャが離脱した際に当該遮断表示マークが前記復帰軸ボックスの外に露出する位置である。
【発明の効果】
【００１２】
本発明によるガスメータの遮断弁の開弁復帰構造によれば、遮断表示マークの見え隠れにより、遮断弁の弁本体が作動しているか否かの判断が確実に行なえることとなる他、軸方向への進退と言う単純な変位を以って、確実にガス流路の開放遮断が行なわれることにより、異常発生時における復帰軸の軸線方向への移動が滞る要因を最大限排除できる。
【００１３】
また、緩衝部材や封止部材の付設によって、不完全な復帰操作や悪戯により、ガスの流路を不当に開放される可能性も著しく減少し、更には、組立工程が簡素化できるという利益もある。
【発明を実施するための最良の形態】
【００１４】
以下、本発明によるガスメータの遮断弁の開弁復帰構造の実施の形態を図面に基づき説明する。
図１は、ガスメータにおけるガス取入口を介してガスの流路へ流通するガスの流入（図１（Ａ）参照）及び遮断（図１（Ｂ）参照）を行なう遮断弁付近の縦断面図である。
【００１５】
当該図に示す遮断弁は、地震の発生などの異常時に弁本体６をガスの流路を開放位置から弾性離脱させる電磁回路等の制御を以って、ガスメータのガスの流路を密封・遮断する閉弁動作を行なうものであって、異常回復時において手動で遮断弁の弁本体６を開放位置に復帰させるための開弁復帰構造を備えるものである。
以下、本発明にガスメータの遮断弁の開弁復帰構造の基本的構造等を記す。
【００１６】
前記開弁復帰構造は、ガスメータの筐体に固定された筒状の復帰軸ボックス１と、当該復帰軸ボックスの中空部を進退する略等断面の復帰軸２と、当該復帰軸２を前記復帰軸ボックス１の内部で復帰操作に抗する向きへ付勢する復帰ばね（復帰軸付勢手段）３を具備して構成される。
【００１７】
前記復帰軸ボックス１は、ガスの流路と外部との機密性を維持しつつ、前記中空部に挿通された復帰軸２をその進退に応じて操作部が出没する様に支持する。支持された復帰軸２は、閉弁動作時及び復帰操作（弁本体６を開弁状態とする為に押し入れる操作）時において前記弁本体６と相互に押圧力を授受し当該弁本体６の動作方向に進退する。前記復帰軸２の進退量としては、前記操作部が最も突出した状態から弁本体６を復帰させるだけのストロークが必要となり、最も突出した際であっても、復帰軸２の離脱を回避できる様に止め輪１５を備えている。
【００１８】
前記復帰軸ボックス１は、前記中空部に向けて（復帰軸の側面に向けて）付勢したボールプランジャ９を備え、前記復帰軸２には、その側面に前記ボールプランジャ９が嵌まる凹部（凹溝）１６が当該復帰軸２の側面を一周する形で環状に刻設されている。当該復帰軸２の操作部は、復帰操作の際のプッシュボタンとなり得るキャップ４を備え、当該キャップ４は、その操作に応じて見え隠れする遮断表示マーク１０を備える。
【００１９】
当該例では、閉弁動作直後において、復帰軸２及びキャップ４が前記復帰軸ボックス１から最も突出した際に、ガスの流路を遮断した弁本体６と前記復帰軸２とが接触せず、且つボールプランジャ９が凹部１６に嵌まった際には、前記復帰軸２の端部が閉弁動作中の弁本体６から前記ボールプランジャ９が凹部１６から離脱する為の圧力を受け得る長さに設定されている。
【００２０】
前記凹部１６とボールプランジャ９は、前記復帰軸ボックス１に対する前記キャップ４の突出量を所定の位置条件において制限するものである。
【００２１】
前記復帰軸２における前記凹部１６の位置は、前記遮断弁に対する開弁操作がなされて弁本体６が復帰位置に定着し、且つ前記復帰軸２が弁本体６から離隔して前記復帰ばね３による付勢状態にある時に、前記ボールプランジャ９が嵌まる位置であり、当該ボールプランジャ９が前記凹部１６から離脱することによって、前記復帰軸２が前記復帰軸ボックス１から突出する量が、前記遮断表示マーク１０が見え隠れし得る量だけ増加する位置であることが必要である。
【００２２】
また、前記操作部の遮断表示マーク１０の位置は、上記凹部１６の位置的要件の充足によって、当該復帰軸２の凹部１６に前記ボールプランジャ９が嵌まった際には、当該遮断表示マーク１０が前記復帰軸ボックス１に隠れ、前記遮断弁の閉弁動作による復帰軸２への押圧を受けて当該復帰軸２の凹部１６から前記ボールプランジャ９が離脱した際には、当該遮断表示マーク１０が前記復帰軸ボックス１から露出する位置であることが必要である。
【００２３】
上記構成において、凹部１６及び遮断表示マーク１０の位置的要件を満足すると共に、当該復帰軸２の凹部１６に前記ボールプランジャ９が嵌まった際における当該復帰軸２の位置保持力（以下、ボールプランジャ９の位置保持力と記す。）が、復帰後の通常位置において前記復帰ばね３が復帰軸２に加える力より大きく、且つボールプランジャ９の位置保持力が、閉弁動作時において前記復帰ばね３及び弁ばね７（遮断弁付勢手段：遮断弁の弁本体に対して閉弁動作を励起する付勢手段。）が復帰軸２に加える力より小さいと言う条件を満たせば、遮断表示マーク１０の見え隠れにより、遮断弁の弁本体６が作動しているか否かの判断、即ち、ガス流路の開閉状況の把握が確実に行なえることとなる。
【００２４】
また、略等断面の復帰軸２の軸方向への進退と言う単純な変位を以って、確実にガス流路の開放遮断が行なわれ、その進退に加わる力が上記各付勢手段とボールプランジャ９による力に略限定されることにより、構造がシンプルとなり組立工程が簡素化できるという利益がある。
【００２５】
遮断弁の目的は、ガスの供給を停止して重大な事故を未然に防ぐ目的によるものであるから、ガスの供給遮断は万全を期すことが要求される。
【００２６】
前述の通り、閉弁動作時において、ボールプランジャ９の位置保持力が、前記復帰ばね３及び前記弁ばね７が復帰軸２に加える力より小さいという条件を満たせば、当該例によるガスメータの遮断弁の開弁復帰構造は問題なく機能するが、例えば、ボールプランジャ９に何等かの不具合が生じ、位置保持力が著しく大きくなった場合、前記弁本体６がガス流路を遮断しきれない状況が発生し得る（図２参照）。
【００２７】
そこで、実施形態の一つとして、前記開弁復帰構造の基本的構造に付加して、前記復帰軸２の遮断弁側の端部にプランジャ押さえ（緩衝部材）１１を備える構造を採ることも可能である（図３及び図４参照）。
【００２８】
前記プランジャ押さえ１１は、当該復帰軸２の弁本体６側に、その長手方向へプランジャ押さえばね（復帰軸緩衝手段）１２の弾性を以って進退可能に装着したものである。当該例では、閉弁動作直後であって復帰軸２、キャップ４、及び当該プランジャ押さえ１１が最も延びた際に、ガスの流路を遮断した弁本体６と前記プランジャ押さえ１１とが接触しない長さであって、ボールプランジャの不具合により凹部１６に嵌まったままになった際に、前記プランジャ押さえ１１がガス流路を遮断すべく、閉弁動作中の弁本体６から弾性的に圧力を受け、前記ボールプランジャ９が凹部１６から離脱する為の圧力を受け得る長さに設定されている。
【００２９】
この場合、復帰状態において、ボールプランジャ９の位置保持力が、前記復帰ばね３によりボールプランジャ９を凹部１６から離脱させようとする力（規制離脱力）より大きく、閉弁動作時において、前記ボールプランジャ９の位置保持力が、前記復帰ばね３及び前記プランジャ押さえばね１２が総合して復帰軸２に加える規制離脱力より小さく、且つ、前記弁ばね７のばね力が前記プランジャ押さえばね１２のばね力より大きい場合という条件を満たすことが必要となる。
【００３０】
当該実施の形態によれば、異常時における閉弁動作の後に不完全な復帰操作が行われたとしても、弁本体６が前記プランジャ押さえばね１２の弾性に勝る力で前記プランジャ押さえ１１を押し入れることができることによって、ボールプランジャ９の位置保持力が働いた状態においても、弁本体６を確実に閉弁位置（遮断開口部に密着できる位置）に至らせ、ガスの流路の不完全遮断を回避することができる。
【００３１】
更に、遮断弁によるガスの供給停止や漏れ防止に万全を期すには、遮断弁が閉弁動作から適正な開弁操作が行われるまでの間に、故意又は過失によりガスの供給が再開されることが無い様にする措置が望まれる。
【００３２】
当該要望を満足する構成としては、前記復帰軸２の遮断弁側の端部に、当該復帰軸２の長手方向へ弾性的に進退可能なプランジャ押さえ１１を備える構成において、前記復帰軸２に、当該復帰軸の進退に一定長の摺動を伴って追動する封止部材１３を備える構成が挙げられる。
【００３３】
前記封止部材１３は、筒状の気密隔壁１７と、プランジャ押さえ１１を支持する緩衝ボックス１８と、復帰軸２の側面に向けて付勢したボールプランジャ９を備えている。
【００３４】
前記気密隔壁１７は、弁本体６が封じるガス流路に挿通され、ゴム性シール部材１４で当該気密隔壁１７・ガス流路間の気密を保持しつつ当該ガス流路から連続する筒状体であって、前記遮断開口部８に対して前記弁本体６の進退長以上の出没を行なう筒状の隔壁である。当該気密隔壁１７の先端開口部は、前記弁本体６に密着する気密縁１９となり、当該弁本体６及び前記気密隔壁１７を以って前記遮断開口部１４から突出した遮断壁を構成し、当該弁本体６と前記遮断開口部８との隙間を経たガスの流通を遮断する（図５（Ｃ）参照）。
【００３５】
前記緩衝ボックス１８は、前記プランジャ押さえ１１を、復帰軸２の軸方向へ摺動可能に装填し、当該緩衝ボックス１８の先端部から突出するプランジャ押さえ１１の受圧部が、前記軸方向への摺動に伴って前記気密隔壁１７の先端開口部から出没する様に支持すると共に、前記復帰軸２の側面に向けて付勢したボールプランジャ９を備えている。当該緩衝ボックス１８に装填されたプランジャ押さえ１１は、当該緩衝ボックス１８の内空部において、プランジャ押さえばね１２により前記弁本体６に向けて付勢されている。
【００３６】
先の例と同様に、前記復帰軸２の側面に前記ボールプランジャ９が嵌まる凹部１６を備え、前記封止部材１３の復帰軸２に対する摺動長を前記弁本体６の進退長未満に制限する規制手段を備えている。前記摺動長が進退長以上では、前記復帰軸２が復帰ばね３によって復帰しても封止部材１３がそれに追従してガスの流路に没することができず、開弁状態に復帰しない場合が生じ得るからである。
【００３７】
当該例においては、前記規制手段は、前記止め輪１５と、その進退に応じて前後に各々当接する前記緩衝ボックス１８及び前記復帰軸ボックス１とで構成される。即ち、前記封止部材１３に対して、前記弁本体６に向けての前記復帰軸２の摺動を、前記止め輪１５が前記緩衝ボックス１８にかかる態様で規制し、当該弁本体６から離隔する方向への摺動を、前記ボールプランジャ９が当該復帰軸２の凹部１６に嵌まる態様（遮断時にあっては、前記止め輪１５が前記復帰軸ボックス１の端部に当接する状態）で規制する。前記封止部材１３に止め輪１５の摺動長を制限する空隙を設けても良い。
【００３８】
前記凹部１６の位置は、当該復帰軸２が前記復帰ばね３で前記復帰操作に抗する向きへの付勢状態で前記ボールプランジャ９が嵌まる位置であり、前記操作部の遮断表示マーク１０の位置が、当該復帰軸２の凹部１６に前記ボールプランジャ９が嵌まった際に当該遮断表示マーク１０が前記復帰軸ボックスに隠れ、且つ前記遮断弁の閉弁動作による復帰軸２への押圧を受けて当該復帰軸２の凹部１６から前記ボールプランジャ９が離脱し、当該遮断表示マーク１０が前記復帰軸ボックス１の外に露出する位置であることを要する。
【００３９】
上記構造により、通常状態においては、当該ボールプランジャ９の位置保持力が、前記復帰ばね３が復帰軸２加える規制離脱力を上回っているため、当該ボールプランジャ９を介して一体化した前記封止部材１３と復帰軸２が、前記復帰軸ボックス１の端部に当接する位置であって、当該復帰軸２に装着されたキャップ４の遮断表示マーク１０が当該復帰軸ボックス１に隠れる位置にまで復帰し定着する（図５（Ａ）参照。）。
【００４０】
閉弁動作時においては、当該ボールプランジャ９の位置保持力が、前記復帰軸ばね３及び前記プランジャ押さえばね１２が総合して復帰軸２に加える規制離脱力より小さくなるため、当該復帰軸２は、当該封止部材１３に対して弁本体から離隔する側へ摺動し、前記キャップ４が当該復帰軸ボックス１から突出し、前記遮断表示マークが露出する（図５（Ｂ）参照。）。
【００４１】
復帰操作時には、当該復帰軸２は当該封止部材１３に対して弁本体６を押し込む側へ摺動し、当該復帰軸２の前記止め輪１５を介して当該封止部材１３に当接し、そのまま弁本体６を押し込む形で復帰させる。この際、当該ボールプランジャ９が当該復帰軸２の凹部１６に嵌まり込む。
【産業上の利用可能性】
【００４２】
本発明によるガスメータの遮断弁の開弁復帰構造は、簡単な構造を以って、種々の産業において用いられているガスの供給を、異常時に確実に停止し、正確な開弁操作が行われるに至るまでガスの流通を遮断することができることから、種々のガス供給システムにおいて重大な事故を未然に防ぐ高い実用性を与えることができる。
【図面の簡単な説明】
【００４３】
【図１（Ａ）（Ｂ）（Ｃ）】本発明によるガスメータの遮断弁の開弁復帰構造の一例を示す断面図である。
【図２】本発明によるガスメータの遮断弁の開弁復帰構造の一例を示す断面図である。
【図３（Ａ）（Ｂ）（Ｃ）】本発明によるガスメータの遮断弁の開弁復帰構造の一例を示す断面図である。
【図４】本発明によるガスメータの遮断弁の開弁復帰構造の一例を示す断面図である。
【図５（Ａ）（Ｂ）（Ｃ）】本発明によるガスメータの遮断弁の開弁復帰構造の一例を示す断面図である。
【符号の説明】
【００４４】
１  復帰軸ボックス，２  復帰軸，３  復帰ばね，４  キャップ，
５  プランジャ，６  弁本体，７  弁ばね，８  遮断開口部，
９  ボールプランジャ，１０  遮断表示マーク，
１１  プランジャ押さえ，１２  プランジャ押さえばね，
１３  封止部材，１４  ゴム性シール部材，１５  止め輪，
１６  凹部，１７  気密隔壁，１８  緩衝ボックス，１９  気密縁， 
【図１（Ａ）（Ｂ）（Ｃ）】
2010002206.tif 000003
【図２】
2010002206.tif 000004
【図３（Ａ）（Ｂ）（Ｃ）】
2010002206.tif 000005
【図４】
2010002206.tif 000006
【図５（Ａ）（Ｂ）（Ｃ）】
2010002206.tif 000007